(57)【要約】【課題】左右どちらからでも開けるパタパタの機能と、内蓋にポケットを有する透明な１枚の台紙から構成されたポケット付き収納箱で、ポケット部には収納した品物に関する情報を表示するパネルを差し込むことができる低コストで大量生産することが可能なポケット付き収納箱を提供することを目的とする。【解決手段】同一寸法の面Ｘ、Ｙと、面Ｘ、Ｙの間に平行に連結された帯Ａ、Ｂと、面Ｘ、Ｙに連結された面Ｕ、Ｖが１枚の台紙１から成る外殻と、同一形状の収納箱Ｍ、Ｎで構成されるポケット付き収納箱であって、台紙は面Ｕ、面Ｘ、帯Ａ、Ｂ、面Ｙ、面Ｖの順序で連結され、各連結部には収納箱の高さと同じ幅の折り目を備へ、台紙を折り曲げ帯Ａ、Ｂの間の開口穴５で面Ｕ、Ｖを重ね合わせた接合面にポケットが形成される外殻に、収納箱Ｍ、Ｎと、帯Ａ、Ｂと、ポケットにパネルを挿入して構成されるポケット付き収納箱。【選択図】図１
2010285165.tif 000002
【特許請求の範囲】
【請求項１】
長方形状の面Ｘと、該面Ｘと同一寸法の面Ｙと、前記面Ｘ、Ｙを連結するための帯Ａ、Ｂと、前記帯Ａ、Ｂとが連結された前記面Ｘの対向辺に連結された長方形状の面Ｕと、同じく前記帯Ａ、Ｂとが連結された前記面Ｙの対向辺に連結される面Ｖとが１枚の台紙から成る外殻と、
前記面Ｘと同一寸法の面と所定の高さから成る収納箱Ｍと、該収納箱Ｍと同一形状の収納箱Ｎとで構成されるポケット付き収納箱であって、
前記収納箱Ｍと収納箱Ｎは、片方の面に開口部を具備する収納箱であって、
前記台紙は、面Ｕ、面Ｘ、２個の帯Ａ、Ｂ、面Ｙ、面Ｖの順序で連結されており、各連結部には、それぞれ前記収納箱Ｍと収納箱Ｎの高さと同一寸法の折り目を具備し、
前記２個の帯Ａ、Ｂは、それぞれ面Ｘと面Ｙの間に平行に連結され、更に帯Ａと帯Ｂとの間の開口穴が、前記面Ｕと面Ｖと同一寸法の幅Ｄを具備する台紙であって、
前記台紙の前記折り目を所定の方向に折り曲げ、かつ、帯Ａと帯Ｂとの間の開口穴で面Ｕと面Ｖとを重ね合わせた接合面にポケット部が形成される前記外殻に、
開口部を向かい合わせにした前記収納箱Ｍと収納箱Ｎと、前記帯Ａと帯Ｂと、重ね合わせた面Ｕと面Ｖとの接合面の間の空間にパネルを挿入して構成されることを特徴とするポケット付き収納箱。
【請求項２】
前記外殻が、透明体の１枚の台紙から成ることを特徴とする請求項１記載のポケット付き収納箱。
【請求項３】
前記帯Ａと帯Ｂとの間の開口穴で面Ｕと面Ｖとを重ね合わせた接合面に形成された前記ポケット部が、前記帯Ａと帯Ｂの側に開口部を有することを特徴とする請求項１または請求項２記載のポケット付き収納箱。
【請求項４】
前記ポケット付き収納箱を開いた際に、前記面Ｕと面Ｖとを重ね合わせた接合面が前記収納箱Ｍ、或いは収納箱Ｎのいずれか片方の開口部を塞ぐ内蓋を形成し、前記ポケット部には前記収納箱Ｍと収納箱Ｎとに収められる物品に関連する情報が表示されたパネルが着脱自在に挿入されることを特徴とした請求項１乃至３いずれか記載のポケット付き収納箱。
【請求項５】
前記収納箱Ｍと前記収納箱Ｎとが、夫々異なる所定の高さから成る収納箱であって、該収納箱が前記台紙の折り目の幅が、対応する夫々の前記収納箱Ｍと収納箱Ｎの高さと同一寸法の前記折り目の幅を有する台紙から形成される外殻に、挿入されて成ることを特徴とする請求項１乃至４いずれか記載のポケット付き収納箱。
【発明の詳細な説明】
【技術分野】
【０００１】
本発明は、左右どちらからでも開く機能と、中央の仕切り蓋にポケット機能を、１枚の台紙を折り曲げることで実現したポケット付き収納箱に関する。
【背景技術】
【０００２】
従来から「パタパタ」「かったん」「板返し」と呼ばれる、左右のどちらにも開くことが可能な玩具や折り紙などが知られている。
【０００３】
この左右どちらからでも開くことができる特徴を使って写真やカレンダーを貼り付ける台紙を入れたフォトスタンドとしても使用されている。例えば、非特許文献１では、開いた面に６ヶ月分のカレンダーを貼り付け、反対に開いた面には残りの６ヶ月のカレンダーを貼り付けた「からくりカレンダー」が紹介されている。
【０００４】
図６は、非特許文献１で開示されているパタパタの機能を使ったからくりカレンダーで、図６（ａ）が部品の構成図であり、図６（ｂ）が２枚の台紙と３枚の帯との接着部の指示図であり、図６（ｃ）は完成したからくりカレンダーを左右に開いた図である。
【０００５】
図６において、３１、３２、３３は帯である。４０、４１は台紙である。図６（ｂ）に示すように帯３１，３２，３３を、相互に平行なるようにして２枚の台紙４０、４１の外側の面に３枚の帯の糊シロ３１ａ、３１ｂ、３２ａ、３２ｂ、３３ａ、３３ｂを接着する。２枚の台紙４０、４１の内側で、３枚の帯が互い違いに交差する構成とすることで帯同士が拘束し合い蝶番の機能を果し、図６（ｃ）に示すように左右どちらからでも開くことができるパタパタの機能を実現している。
【０００６】
また、上述した玩具や折り紙が持つパタパタの機能を取り入れた左右どちらからでも開くことができるからくり収納箱もある。２個の収納箱を向かい合わせにして、その間に３枚の帯を設けて開く方向により３枚の帯が収納箱を拘束し、また、蝶番の機能を更にもたせることで収納箱を左右に分離することができる収納箱である。
【０００７】
例えば特許文献１に示すパッケージは「板返し（Ｊｃｏｂｕｓ  Ｌａｄｄｅｒ）」の手法により作成された「紙巻タバコの箱を収納するためのパッケージ」が開示されている。図７はこの板返しの手法で作成されたパッケージと呼ばれるからくり収納箱を作成するための図である。図７（ａ）は台紙の斜視図であり、図７（ｂ）は台紙を折り曲げて板返しの機能を示す図であり、また図７（ｃ）は２個の紙巻タバコの箱を収納したパッケージを示す図である。
【０００８】
図７において、１は台紙に相当するパッケージである。Ｐ１、Ｐ２は紙巻タバコを収めた収納箱のパックである。Ｒ１，Ｒ２は閉じた際の表紙になる壁部である。Ｂ１、Ｂ２、Ｂ３は紙巻タバコを収納するパックＰ１、Ｐ２を拘束するバンドである。バンドＢ１の幅はバンドＢ２とバンドＢ３との間の開口部の幅Ｄと同一寸法である。Ａ１、Ａ２、Ａ３及びＣ１、Ｃ２、Ｃ３はバンドの折り目の幅でパックＰ１、Ｐ２の高さに相当するセクションである。ＪはバンドＢ１を壁部Ｒ２に接着するための糊シロである。台紙１を図７（ｂ）に示すように組み上げた外殻に２箱の紙巻タバコのパックＰ１、Ｐ２を装着して、図７（ｃ）に示すように左右どちらからでも開く板返しの機能を有するように形成されたパッケージ１を実現している。
【先行技術文献】
【特許文献】
【０００９】
【特許文献１】特表２００８−５２８３９２号公報
【非特許文献】
【００１０】
【非特許文献１】田渕伸子監修「美しい絵手紙の描き方１２ヶ月」成美堂出版、２００５年１０月発行
【発明の概要】
【発明が解決しようとする課題】
【００１１】
しかし、図６で示した「からくりカレンダー」を作成する場合、左右どちらからでも開くことができるパタパタの機能を発揮させるためには、図６（ｂ）に示すように３枚の帯の糊シロを２枚の台紙の側面に互い違いに貼り付ける必要がある。そのため作成にかかる手間と時間、及び完成後の品質にばらつきが生ずるという問題がある。それらは個人的な作成であれば問題とはならないが、製品として作成し販売する場合には、作成時間と作成コスト、及び品質は重要な問題であり、大量生産においてはいかに安く短時間で簡単に作成が可能で、品質を一定に保てる製品作りが重要となる。
【００１２】
また、特許文献１に示した板返しの手法で作成された「紙巻タバコのパッケージ」は、図７（ａ）に示す１枚の台紙１から作成された左右どちらにも開くことができるパタパタの機能を実現している。しかし、図７（ｂ）に示す紙巻タバコのパッケージの開口部はタバコのフィルター部分であり、帯Ｂ１、Ｂ２及びＢ３が持つ機能は紙巻タバコの箱Ｐ１、Ｐ２を拘束するための帯であり、中央の帯Ｂ１を蓋として活用する収納箱を意図したものではない。
【００１３】
本発明は以上の課題に着目し成されたもので、２個の収納箱の開口部を向かい合わせにして左右どちらからでも開くことができるパタパタの機能を１枚の台紙で実現し、収納箱の開口部を覆う内蓋にポケットの機能を付加した構成となっている。更に透明な素材を台紙に使用することで、ポケット部には収納箱に納める品物の説明や種類を表示するパネルや、化粧品の場合は鏡等を着脱可能に差し込むことが可能である。収納箱の内蓋がポケット機能を有する構成を１枚の台紙によって実現することで、低コストで簡単に大量生産することが可能なポケット付き収納箱を提供することを目的とする。
【課題を解決するための手段】
【００１４】
本発明は、上述の目的を達成するため、以下（１）〜（５）の構成を備えるものである。
【００１５】
（１）長方形状の面Ｘと、該面Ｘと同一寸法の面Ｙと、前記面Ｘ、Ｙを連結するための帯Ａ、Ｂと、前記帯Ａ、Ｂとが連結された前記面Ｘの対向辺に連結された長方形状の面Ｕと、同じく前記帯Ａ、Ｂとが連結された前記面Ｙの対向辺に連結される面Ｖとが１枚の台紙から成る外殻と、前記面Ｘと同一寸法の面と所定の高さから成る収納箱Ｍと、該収納箱Ｍと同一形状の収納箱Ｎとで構成されるポケット付き収納箱であって、前記収納箱Ｍと収納箱Ｎは、片方の面に開口部を具備する収納箱であって、前記台紙は、面Ｕ、面Ｘ、２個の帯Ａ、Ｂ、面Ｙ、面Ｖの順序で連結されており、各連結部には、それぞれ前記収納箱Ｍと収納箱Ｎの高さと同一寸法の折り目を具備し、前記２個の帯Ａ、Ｂは、それぞれ面Ｘと面Ｙの間に平行に連結され、更に帯Ａと帯Ｂとの間の開口穴が、前記面Ｕと面Ｖと同一寸法の幅Ｄを具備する台紙であって、前記台紙の前記折り目を所定の方向に折り曲げ、かつ、帯Ａと帯Ｂとの間の開口穴で面Ｕと面Ｖとを重ね合わせた接合面にポケット部が形成される前記外殻に、開口部を向かい合わせにした前記収納箱Ｍと収納箱Ｎと、前記帯Ａと帯Ｂと、重ね合わせた面Ｕと面Ｖとの接合面の間の空間にパネルを挿入して構成されることを特徴とするポケット付き収納箱。
【００１６】
（２）前記外殻が、透明体の１枚の台紙から成ることを特徴とする前記（１）記載のポケット付き収納箱。
【００１７】
（３）前記帯Ａと帯Ｂとの間の開口穴で面Ｕと面Ｖとを重ね合わせた接合面に形成された前記ポケット部が、前記帯Ａと帯Ｂの側に開口部を有することを特徴とする前記（１）または（２）記載のポケット付き収納箱。
【００１８】
（４）前記ポケット付き収納箱を開いた際に、前記面Ｕと面Ｖとを重ね合わせた接合面が前記収納箱Ｍ、或いは収納箱Ｎのいずれか片方の開口部を塞ぐ内蓋を形成し、前記ポケット部には前記収納箱Ｍと収納箱Ｎとに収められる物品に関連する情報が表示されたパネルが着脱自在に挿入されることを特徴とした前記（１）乃至（３）いずれか記載のポケット付き収納箱。
【００１９】
（５）前記収納箱Ｍと前記収納箱Ｎとが、夫々異なる所定の高さから成る収納箱であって、該収納箱が前記台紙の折り目の幅が、対応する夫々の前記収納箱Ｍと収納箱Ｎの高さと同一寸法の前記折り目の幅を有する台紙から形成される外殻に、挿入されて成ることを特徴とする前記（１）乃至（４）いずれか記載のポケット付き収納箱。
【発明の効果】
【００２０】
本発明のポケット付き収納箱は、左右どちらからでも開くことができるパタパタの機能を実現する透明な１枚の台紙を組上げた外殻と、２個の収納箱から構成されたポケット付き収納箱である。そして、挿入された収納箱の開口部を覆う内蓋にはポケットが形成されている。そのため、そのポケット部には収納箱に納められた物品の使用方法を表示するパネルや鏡等を着脱自在に差し込むことが可能であり、低コストで簡単に大量生産することが可能なポケット付き収納箱を提供することができる。
【図面の簡単な説明】
【００２１】
【図１】実施例１に係るポケット付き収納箱の構成図、（ａ）ポケット付き収納箱の斜視図、（ｂ）台紙を組上げた外殻の斜視図
【図２】実施例１に係るポケット付き収納箱の部品図、（ａ）収納箱の台紙の展開図、（ｂ）開口部を持つ収納箱の斜視図、（ｃ）ポケット部に挿入される２枚のパネルの斜視図
【図３】実施例１に係るポケット付き収納箱の作成手順（ａ）〜（ｃ）を示す図
【図４】実施例１に係るポケット付き収納箱の作成手順（ｄ）〜（ｆ）を示す図
【図５】実施例２に係る収納箱の高さが異なるポケット付き収納箱の斜視図
【図６】従来のからくりカレンダーの作成を示す図、（ａ）部品の構成図、（ｂ）台紙と帯との接着部の指示図、（ｃ）完成したからくりカレンダーの斜視図
【図７】従来技術で作成された紙巻タバコのパッケージを示す図、（ａ）台紙の展開図、（ｂ）台紙の作成指示図、（ｃ）紙巻タバコのパッケージの斜視図
【発明を実施するための形態】
【００２２】
以下、本発明を実施するための形態を、実施例により詳しく説明する。
【実施例１】
【００２３】
本発明のポケット付き収納箱の構成と部品構成を、図１、図２に従い説明する。
【００２４】
図１は、本実施例１に係るポケット付き収納箱の構成図である。図１（ａ）はポケット付き収納箱の斜視図で、図１（ｂ）は１枚の台紙を組上げた外殻の斜視図である。
【００２５】
図１（ａ）に示す本発明のポケット付き収納箱は、透明体の素材の１枚の台紙１で形成された外殻に収納箱Ｍ、Ｎを着脱自在に組み込むことが可能であり、また、面Ｕと面Ｖを接合し形成されたポケット部３には２枚のパネル４ａ、４ｂを挿入することができる。図１（ｂ）に示す１枚の台紙１を組上げた外殻の構成は、左右どちらからでも開くことできるパタパタの機能と、内蓋に形成されたポケット部３を具備している。
【００２６】
図２はポケット付き収納箱の部品図である。図２（ａ）はポケット付き収納箱の外殻を形成する台紙の展開図である。図２（ｂ）は台紙に組み込む２個の収納箱である。図２（ｃ）はポケット部に挿入する２枚のパネルである。
【００２７】
図２において、１はパタパタの機能とポケット部３を具備する台紙である。台紙１を折り曲げることで、ポケット付き収納箱の外殻を形成する。Ｕ、Ｖは収納箱の内蓋を構成する面である。１０は面Ｕと面Ｖの両端に形成される糊シロである。糊シロ１０は面Ｕ、Ｖの面の両端に２本の糊シロ１０ａ、１０ｂから構成されている。Ｘ、Ｙは収納箱Ｍ、Ｎの裏面と同一寸法の裏蓋となる長方形状の面である。Ａ、Ｂは面Ｘと面Ｙとを連結する帯である。５は平行に接続された帯Ａと帯Ｂの間に形成された開口穴である。開口穴５の幅Ｄは、面Ｕ、Ｖの幅と同一寸法である。６、７は、収納箱Ｍの所定の高さに相当する幅の折り目である。８、９は収納箱Ｎの所定の高さに相当する幅の折り目である。折り目６は６ａ、６ｂの２本から構成されており、同様に折り目７、８、９についても２本の折り目で構成されている。Ｍ、Ｎは、台紙１で形成された外殻に組み込む収納箱である。１１は収納箱Ｍの片面の中央部に設けられた開口部である。１２は収納箱Ｎの片面の中央部に設けられた開口部である。開口部１１、１２の形状は収納する物品に対応して変更することが可能である。４はポケット部３に着脱自在に挿入されるパネルである。パネル４は４ａ、４ｂの２枚のパネルから構成されている。
【００２８】
次にポケット付き収納箱の機能を説明する。図１（ｂ）に示す台紙１を組上げた外殻は、左右どちらからでも開くことができるパタパタの機能を実現すると共に、面Ｕ、Ｖを重ねて接合した内蓋にはポケット部３が形成されるように構成されている。
【００２９】
図２（ａ）に示す台紙１は、面Ｕ、面Ｘ、２個の帯Ａ、Ｂ、面Ｙ、面Ｖの順序で連結されている。各連結部には、それぞれ前記収納箱Ｍと収納箱Ｎの高さと同一寸法の折り目（６，７，８，９）を具備している。
【００３０】
面Ｕと面Ｖを重ねて接合した内蓋は、ポケット付き収納箱を開いた際に片方の収納箱の開口部１１、或いは開口部１２を塞ぐ内蓋の機能と、着脱自在に組み込まれた収納箱Ｍ、或いは収納箱Ｎを拘束して固定する機能を備えている。内蓋の幅は、帯Ａと帯Ｂの間の開口穴５の縦幅Ｄと同じ幅であり、内蓋と両端の帯Ａ、Ｂとは開口穴５の中で交差した形状となる。また、両端の帯Ａ、Ｂは、ポケット付き収納箱を開いた際、片方の収納箱の開口部の縁の部分を押へて収納箱を固定する機能を果たす。更に、面Ｕと面Ｖを重ねて接合した内蓋と両端の帯Ａ、Ｂとが開口穴５の中で交差して蝶番の機能を成すことで、左右どちらからでも開くことができるパタパタの機能を実現している。
【００３１】
面Ｘと面Ｙは、２個の収納箱Ｍ、Ｎの夫々の裏蓋となりポケット付き収納箱を閉じた際の表紙となる。図２（ｂ）の収納箱Ｍと収納箱Ｎには、写真や化粧品等の物品を収納する収納機能を有した開口部１１、１２を設けている。尚、収納箱Ｍ、Ｎの開口部の構成は収納する物品に対応して変更することが可能であり、例えば格子状の仕切りを設けて夫々の収納部にイヤリングや指輪等の装飾品や、和菓子や飴玉等を収納し、また、短冊状の仕切りにより口紅やブラシ等を収納し、或いは針刺し台を組み込んでピンバッチ等を収納するような多様な用途に対応して組み合わせることができる開口部を提供するものである。よって本実施例に示した収納箱の開口部の構成は、本発明を制限するものではない。
【００３２】
また、透明性の台紙１を使用することで収納箱Ｍ、Ｎの裏面には、図柄や会社名等の文字や模様を描くことで宣伝媒体として使用することが可能で、様々な用途に対応するより宣伝効果の高い製品を提供できる。本実施例１では、高さも同一寸法の収納箱Ｍ、Ｎで成っているが、箱の高さに関しては収納する物品により異なる高さを有した収容箱で有っても良い。
【００３３】
図２（ｃ）のパネル４ａ、４ｂは、ポケット付き収納箱の内蓋のポケット部３に着脱自在に挿入する２枚のパネルである。台紙１が透明な素材から成るため、収納箱Ｍに対応するパネル４ａと、収納箱Ｎに対応するパネル４ｂは、夫々の収納箱に収納される物品に関連する注意書きや説明文、或いは鏡等をポケット部３に挿入することができる。
【００３４】
図３の（ａ）〜（ｃ）及び図４の（ｄ）〜（ｆ）は、ポケット付き収納箱を作成するための作成手順（ａ）〜（ｆ）を示している。図３、図４に示した手順に従い作成作業を進めることで、正確かつ効率的にポケット付き収納箱を作ることができる。また、外殻を簡単な形状の１枚の台紙１で構成することによって、ポケット付き収納箱の製作工程が簡素化され製作コストも低減することができる。
【００３５】
次に図３、図４の作成手順（ａ）〜（ｆ）に従いポケット付き収納箱の作成方法を説明する。
【００３６】
＜作成方法＞
（ａ）台紙１の面Ｘと帯Ａ、Ｂの接続部の折り目７ａ、７ｂの順に帯Ａ、Ｂ側を下方（時計回り方向）に折り曲げる。次に、台紙１の帯Ａ、Ｂと面Ｙの接続部の折り目８ｂ、８ａの順に面Ｙ側を上方（反時計回り方向）に折り曲げることで手順（ｂ）に示すＺ字のような形状に台紙１を折り曲げる。
【００３７】
（ｂ）台紙１の面Ｘと面Ｕの接続部の折り目６ａ、６ｂの順に面Ｕ側を夫々下方に折り曲げる。次に、面Ｙと面Ｖとの接続部の折り目９ｂ、９ａの順に面Ｖ側を夫々上方に折り曲げて、面Ｕと面Ｖとを開口穴５の左右から通入して重なるように折り曲げる。
【００３８】
（ｃ）帯Ａと帯Ｂの間の開口穴５の中で面Ｕと面Ｖとを重なるように折り曲げて、帯Ａと帯Ｂと面Ｕ、Ｖの接合面が８の字のように交差した形状を作る。そして、面Ｕと面Ｖの両端に形成された糊シロ１０ａ、１０ｂを重ね合わせて接合する。帯Ａ、Ｂと面Ｕ、Ｖの接合面である内蓋が交差した形状は、左右どちらからでも開くことができるパタパタの機能を発揮する。
【００３９】
（ｄ）開口穴５で重ねた面Ｕと面Ｖの両端に形成された糊シロ１０ａ、１０ｂの接着処理された内蓋には、両端の帯Ａと帯Ｂの方向が開放されたポケット部３が形成される。図で示された面Ｕ、面Ｖから成る内蓋と帯Ａ、Ｂとを交差させることにより、パタパタの機能と、内蓋に付加したポケット機能とを有する収納箱の外殻が、１枚の台紙１で実現されている。
【００４０】
（ｅ）１枚の台紙１を組上げて作成したポケット付き収納箱の外殻に対し収納箱Ｍの裏面に、面Ｘの裏蓋が重なるように収納箱Ｍを挿入し、また、収納箱Ｎの裏面に、面Ｙの裏蓋が重なるように挿入する。収納箱Ｍの開口部１１と収納箱Ｎの開口部１２とを向かい合わせ、その間に交差した帯Ａ，Ｂと内蓋となる面Ｕ，Ｖとを挟み込む構成となる。台紙１は透明な素材であるため、ポケット付き収納箱を閉じた際に、裏蓋を透かして収納箱Ｍと収納箱Ｎの裏面がポケット付き収納箱の表紙となるため、収納箱Ｍ、Ｎに宣伝用の図柄や文字を印刷することで宣伝媒体として有効に活用することができる。
【００４１】
（ｆ）収納箱Ｍの開口部１１側にパネル４ａ、収納箱Ｎの開口部１２側にパネル４ｂが位置するように、糊シロ１０ａ、１０ｂで接合された内蓋の面Ｕと面Ｖの間に形成されたポケット部３に着脱可能なパネルを挿入することでポケット付き収納箱が完成する。この場合、ポケット部３に挿入するパネル４ａ、４ｂは、収納箱Ｍ、Ｎに収納される品物によって、商品の説明書、薬の場合は服用の注意書き、或いは、化粧品の場合には鏡等を挿入するなどしてポケット部３を有効に活用することが可能である。
【００４２】
上記の作成手順で完成したポケット付き収納箱の外殻は、パタパタの機能とポケット機能とを集約した１枚の台紙１から成り、単純な構成で簡単に作成できる。また、台紙１に機能を集約し構成部品の点数を低減することで製作コストを抑え、同一品質の製品を大量に生産することが可能となる。
【実施例２】
【００４３】
本実施例に係るポケット付き収納箱に組み込まれる収納箱Ｍと収納箱Ｎとの高さが異なるポケット付収納箱について説明する。
【００４４】
図５は、収納箱Ｍの高さと、収納箱Ｎの高さとが異なるポケット付き収納箱を示した斜視図である。図に示すように収納箱Ｎに対し収納箱Ｍの高さが異なる場合であっても、図２（ａ）に示す台紙１において、収納箱Ｍに対応する折り目６ａ、６ｂと、折り目７ａ、７ｂの幅を、収納箱Ｍの高さに合わせて変えることで高さの異なる収納箱を組み合わせることができる。その結果、夫々の高さの異なる収納箱を組み合わせたポケット付き収納箱の外殻を、１枚の台紙で作成することが可能となる。
【００４５】
本実施例の収納箱の高さが異なるポケット付き収納箱の作成方法は、実施例１において図３、４に示した作成手順と同一のため説明を省略する。また、図２（ａ）に示す台紙１では、収納箱Ｍと収納箱Ｎとが高さも同一寸法の収納箱であるため、台紙１の形状は帯Ａ、Ｂの中央を軸に左右対称の形状と成っているが、本実施例の収納箱の高さが異なる場合のポケット付き収納箱は、左右で折り目の幅が異なるため台紙１の形状は左右対称とはならない。
【００４６】
本実施例に係る高さが異なる収納箱を組み込んだポケット付き収納箱にすることで、収納箱には多種多様な製品を収納することが可能となり、汎用性の高いポケット付き収納箱を提供できる。
【００４７】
以上説明したように、ポケット付き収納箱を構成する部品点数を減らし、透明体の台紙１枚に左右どちらからでも開くことができるパタパタの機能と、ポケット機能とを集約して、製作コストを下げ、更に作成手順を簡素化して作成効率を高めることができる。その結果、低コストで同一品質の製品を大量に作成することが可能で、多種多様な製品を収納することが可能な汎用性の高いポケット付き収納箱を提供することができる。
【符号の説明】
【００４８】
Ａ  帯
Ｂ  帯
Ｍ  収納箱
Ｎ  収納箱
Ｕ  面（内蓋に対応）
Ｖ  面（内蓋に対応）
Ｘ  面
Ｙ  面
１  台紙（外殻に対応）
３  ポケット部
４  パネル
５  開口穴
６  折り目
７  折り目
８  折り目
９  折り目
１０  糊シロ
１１  収納箱２の開口部
１２  収納箱３の開口部
【図１】
2010285165.tif 000003
【図２】
2010285165.tif 000004
【図３】
2010285165.tif 000005
【図４】
2010285165.tif 000006
【図５】
2010285165.tif 000007
【図６】
2010285165.tif 000008
【図７】
2010285165.tif 000009